(57)【要約】【課題】劣化した既設防水シートは残したままその上から新規防水シートを敷設する改修に用いられるシート防水改修方法であって、既設防水シートを確実に固定した上に新設防水シートを敷設し、強風等に煽られても剥がれや引裂き等の問題のないシート防水改修方法を提供する。【解決手段】下地５に敷設した既設防水シート２を改修するシート防水改修方法であって、既設防水シート２を固定プレート３とアンカー部材４で固定し、その上から新設防水シート１と配置して接着剤で接着固定する。また、新設防水シート１には絶縁シートを積層したものを用いることもできる。【選択図】図１
2007198121.tif 000002
【特許請求の範囲】
【請求項１】
防水シートが下地に密着工法にて既設されている防水構造物におけるシート防水改修方法において、既設防水シート上から固定プレートを配置し、固定ディスクと既設防水シートを貫通してアンカー部材を下地に差し込んで複数箇所で固定し、その上から新設防水シートを敷設して既設防水シートに接着固定することを特徴とするシート防水改修方法。
【請求項２】
既設防水シートの固定プレートを配置する箇所に補強材を配置することによって既設防水シートを補強した請求項１記載のシート防水改修方法。
【請求項３】
補強材が繊維補強材である請求項２記載のシート防水改修方法。
【請求項４】
補強材が繊維補強ゴムシートである請求項２記載のシート防水改修方法。
【請求項５】
防水シートが下地に密着工法にて既設されている防水構造物におけるシート防水改修構造において、既設防水シート上から固定プレートを配置し、固定ディスクと既設防水シートを貫通してアンカー部材を下地に差し込んで複数箇所で固定し、その上から新設防水シートを敷設して既設防水シートに接着固定してなることを特徴とするシート防水改修構造。
【請求項６】
既設防水シートの固定プレートを配置する箇所に補強材を配置することによって既設防水シートを補強した請求項５記載のシート防水改修構造。
【請求項７】
補強材が繊維補強材である請求項２記載のシート防水改修構造。
【請求項８】
補強材が繊維補強ゴムシートである請求項２記載のシート防水改修構造。
【発明の詳細な説明】
【技術分野】
【０００１】
本発明は建築物の屋上や駐車場などの防水構造物において、既設防水シートの劣化にともなって新規な防水シートを敷設しようとする際に適用するシート防水改修方法であり、詳しくは既設防水層の改修作業を短い期間で容易に行うことができ、改修による廃棄物の発生を少ないものとすることができる改修方法及び改修構造に関する。
【背景技術】
【０００２】
建築物の屋上や駐車場などにおいて、コンクリートの下地に防水を施す工法として、ゴムやポリウレタン、その他の樹脂などエラストマー材料からなる防水シートの全面を下地の表面に接着剤で貼り付けることによって防水性を確保する密着工法がある。
【０００３】
このように下地に防水シートの全面を接着剤で貼り付けるようにした防水構造物にあって、防水シートとして耐候性などの物性に優れた材料で形成したものを用い、長期に亘って防水性能が維持されるようにしてあるが、長年風雨に曝されると共に太陽の紫外線などを浴びつづけることによって、防水シートが劣化していくことは避けることができず、最終的には改修することが必要になる。
【０００４】
このような防水構造物を改修する場合には、下地に貼り付けられている既設の防水シートは自身が劣化しているのみならず、この既設の防水シートと下地との接着力も低下しているおそれもあるので、既設の防水シートの全面を下地から剥がし取り、下地の表面を清掃等して整備した後、下地の表面の全面に接着剤を塗布し、新規の防水シートを下地の全面に貼り直すという方法が一般的である。
【０００５】
しかし、このように既設の防水シートを全面に亘って剥がす場合、防水面積が膨大に広いような構造物においては、防水シートを剥がす作業に多大の労力と時間を要し、改修工事が数日に亘ったりすることになる。このように改修工事に日数がかかると、その期間中に降雨がある可能性があり、下地に防水性がないと雨漏りが発生するおそれがあるという問題を生じるものであった。また剥がした既設の防水シートは産業廃棄物として処分しなければならないが、既設の防水シートを全面に亘って剥がすと廃棄処分量が多くなって、環境面からも問題を生じるものであった。
【０００６】
既設防水シートの除去は行わないもしくは部分的に行って、既設防水シートの上から新規な防水シートを敷設することで既設防水シートの除去作業が省略されるとともに廃棄物の発生も低減することができる。例えば特許文献１には既設防水シートの除去を部分的に行ってからその上に新規防水シートを敷設することが開示されている。新規防水シートの固定は新たな固着具を用いて下地に固定している。
【０００７】
また、特許文献２においては、下地に接着剤でシートを密着固定した防水構造物の改修方法として、既設防水シートを部分的に剥がし露出した下地と残った既設防水シートに接着剤を用いて密着固定する方法が開示されている。
【０００８】
【特許文献１】特開平１０−６１２０７号公報
【特許文献２】特開２００２−３６４１２５号公報
【発明の開示】
【発明が解決しようとする課題】
【０００９】
特許文献１の方法では、確かに既設防水シートを除去する手間が軽減され廃棄物の量も少なくすることができ、既設防水シートからの影響も絶縁シートで遮断することができる。しかし、既設防水シートを部分的とはいえ除去するので手間が全くないということはできない。また、既設防水シートが下地に対して全面を接着剤で貼り付ける密着工法である場合には、既設防水シートの除去は困難である。
【００１０】
また、特許文献２の方法では、密着工法にて敷設接着された防水シートの場合にも改修を行うことができるが、やばり、既設防水シートの除去作業に手数がかかるという問題がある。しかし、既設防水シートの強度は長期間使用する間に低下しており、困難であっても部分的に既設防水シートを剥して新設防水シートを直接下地に接着する部分を確保する必要がある。
【００１１】
そこで本発明では既設防水シートは残したままその上から新規防水シートを敷設する改修に用いられる防水シートであって、密着工法で敷設接着された防水シートの場合であっても強度の低下を補強して行うことができるシート防水改修方法の提供を課題とする。
【課題を解決するための手段】
【００１２】
上記のような課題を解決するために本発明の請求項１及び請求項５では、防水シートが下地に密着工法にて既設されている防水構造物におけるシート防水改修方法もしくはシート防水改修構造において、既設防水シート上から固定プレートを配置し、固定ディスクと既設防水シートを貫通してアンカー部材を下地に差し込んで複数箇所で固定し、その上から新設防水シートを敷設して既設防水シートに接着固定することを特徴とする。
【００１３】
請求項２及び請求項６では、既設防水シートの固定プレートを配置する箇所に補強材を配置することによって既設防水シートを補強したシート防水改修方法もしくはシート防水改修構造としている。
【００１４】
請求項３及び請求項７では、補強材が繊維補強材であるシート防水改修方法もしくはシート防水改修構造としている。
【００１５】
請求項４及び請求項８では、補強材が繊維補強ゴムシートであるシート防水改修方法もしくはシート防水改修構造。
【発明の効果】
【００１６】
請求項１及び請求項５では、既設防水シートの上から固定プレートを配置してアンカー部材を下地に差し込んで複数箇所で固定することによって既設防水シートの下地への接着力が低下している場合でも補強することができ、その上から新設の防水シートを敷設し接着固定することで、既設防水シートを剥がす作業をする必要もなく新設防水シートを強固に固定することができる。
【００１７】
請求項２及び請求項６では、既設防水シートの固定プレートを配置する箇所に補強材を配置しており、防水シートに負圧がかかった場合に固定プレートで押さえつけた部分の境界で既設防水シートの引裂が起こるのを防止することができる。
【００１８】
請求項３及び請求項７では、補強材として繊維補強材を用いており、既設防水シートの引裂きを防止するとともに伸びや変形を押えることができる。
請求項４及び請求項８によると、補強材として繊維補強ゴムシートを用いており、既設シートの引裂きや変形を防止することができるとともに、既設シートへの貼り付けも簡単に行うことができるという利点がある。
【発明を実施するための最良の形態】
【００１９】
図１は本発明のシート防水改修方法を施工したところの要部側面図である。本発明で言う防水構造物の改修とは、ビルや駐車場などの建築物の下地にゴムや樹脂などのエラストマー材料からなる防水シートを敷設したところが、経年によって劣化したところに、新規の防水シートを敷設して防水工事をやり直すことを言う。また、本発明で対象とするシート防水構造は防水シートの全面が接着剤によって下地に接着固定された密着工法によるものである。
【００２０】
既設防水シート２は長年にわたって使用されたものであることから、防水シート自身が劣化しているとともに、防水シートを下地に接着している接着剤も劣化して十分な接着力を発揮できていないという状況が考えられ、その上から新規防水シート１を敷設して接着しても、既設防水シート２とともに剥がれてしまうことになる。
【００２１】
そこで本発明では、既設防水シート２をまず下地に確実に固定する。具体的には既設防水シート２の上に固定プレート３を配置して更にその上からアンカー部材４および既設防水シート２を貫通して下地５に差し込み機械的に固定してしまう。
【００２２】
次いでその上から新設防水シート１を敷設し既設防水シート２に接着剤で全面接着して密着固定する。そうすることによって既設防水シート２の下地５への接着固定が劣化していたとしても改修するに当たって固定プレート３とアンカー部材４で改めて固定されており、新設防水シート１を強固に下地５に固定できることになる。
【００２３】
また、通常強風で防水シートが煽られたような場合に固定プレート３で機械的に固定した既設防水シート２には、固定プレート３で押えられた部分と押えられていない部分の境界に大きな力がかかりやすく引裂きが発生しやすいという問題がある。
【００２４】
本発明のような場合、既設防水シート２の下地５への接着は長期間の内に劣化していることが考えられ、接着力が全く失われている場合強風で煽られることによる負担は固定プレートで押えられている部分と押えられていない部分の境界にすべてかかってくることになり、その部分に引裂きが発生することも十分考えられる。そこで既設防水シート２の固定プレート３を配置する箇所に補強材６を配置している。そうすることによって既設防水シート２が補強され、引裂きの発生を防止することも有効である。
【００２５】
本発明に用いることができる既設および新規防水シート２、１とは、通常シート防水用途に用いられる防水シートであれば何でもよく、特に材質を限定するものではないがエチレンプロピレンジエンモノマー（ＥＰＤＭ）、ブチルゴム、イソプレン・イソブチレン共重合体（ＩＩＲ）等やそれらのブレンド物等のゴム、ポリウレタンやポリエチレン、ポリ塩化ビニルなどの合成樹脂、オレフィン系熱可塑性エラストマーなどからなるシートが挙げられ、それらの中では耐候性に優れるとともに良好なゴム弾性を有するＥＰＤＭが好ましい。また、その厚みは０．８〜２．５ｍｍの範囲のものを用いることが好ましい。また、その幅は１〜２ｍ程度のものが通常用いられる。厚みが０．８ｍｍ未満であると強度が不足して防水シートが容易に破断することがあり、２．５ｍｍをこえると接合部において段差が大きくなってしまい外観を悪くすることにもなるので好ましくない。また、これらのゴムにガラス繊維やポリエステル繊維などからなる補強布を埋設して機械的強度や寸法安定性を改善したものを用いることもできる。
【００２６】
本発明では既設防水シート２を剥がすことなくその上から新設防水シート１を敷設するが、このように既設防水シート２を除去することなく、その上から新規防水シート１を敷設する場合、既設防水シート２からの化学成分、例えばアスファルトシートであればタール分で塩化ビニルシートであれば可塑剤などの成分が新設防水シート１側へ移行して劣化させるという問題がある。
【００２７】
そこで、図２に示すように新設防水シート１の下面（既設防水シートと接する側）に熱可塑性樹脂フィルム等からなる絶縁シート７を積層一体化したものを用いることができる。そうすることによって、既設防水シート２からの化学成分が新設防水シート１側へ移行するのを遮断することができ新設防水シート１を保護することができる。
【００２８】
積層一体化する絶縁シート７は、ポリエチレン、ポリプロピレン、エチレンビニルアセテート、エチレンメチルアクリレート、エチレンメチルアクリレートなどやオレフィン樹脂やそれらを変成した塩素化ポリエチレン、塩素化ポリプロピレン、マレイン化エチレンビニルアセテートなどの変成オレフィン樹脂、オレフィン系熱可塑性エラストマーなどを用いることができ、通常５０〜５００μｍ厚み、より好ましくは１５０〜２５０μｍのシートを積層する。厚みが５０μｍ未満であるとシート表面のパターンに絶縁シート７が沿わないなどの原因により熱融着による強度が低くなり、５００μｍを超えると防水シート２との熱収縮率の差により新設防水シート１におおきなソリが発生すること、また新設防水シート１のしなやかさが失われて下地に沿いにくくなったり施工性が悪くなったりすることから好ましくない。
【００２９】
この新設防水シート１と絶縁シート７を積層一体化する方法としては、熱融着によるものや接着剤によるものが考えられるが、熱融着にて行うことによって強固に積層一体化することができる。具体的には新設防水シート１と絶縁シート７を重ね合わせてヒートロールなどにより加熱・加圧することによって熱融着で積層一体化することができる。また、新設防水シート１を加硫して間もない加熱された状態にて、絶縁シート７を積層して新設防水シート１を加硫するときの熱を利用して融着する方法である。
【００３０】
具体的には、図４に示すような装置を用い、押出機（図示しない）から押出された未加硫ゴムシートをエンドレスベルト２１に載せられて導入ロール２２から所定温度（１５０〜２００℃）に設定された加硫缶２３内に送り込まれて加硫され、導出ロール２４から加硫缶２３外へ送り出されて複数個のガイドロールを経由して圧接ロール２６で絶縁シート７が積層一体化され、テンションロール２８を経て巻取りロール２９に巻き取られる。
【００３１】
このとき、加硫缶２３から送り出されたばかりの加硫ゴム製の新設防水シート１は表面が１３０〜１５０℃になっており、熱可塑性シートを容易に融着することができる。
【００３２】
既設防水シート２の下地への固定を確実にするために固定プレート３をアンカー部材４で打ち込むが、固定プレート３は所定間隔をもって配置する。配置する固定プレート２を数は、下地５の状態にもより、特に決まった数があるわけではないが、接着剤が完全に劣化して接着力を失っていた場合でも既設防水シート２が風などの影響で浮き上がったりしないように十分に下地５に固定される必要があり、通常１〜４個／ｍ2程度の範囲で均等に配置する。
【００３３】
また、本発明の固定プレート３はステンレス、亜鉛メッキ鋼板、ガルバニウム鋼板、溶融アルミニウムメッキ鋼板、冷間圧延ステンレス鋼板、アルミニウム板、アルミニウム合金板などの金属やその他の無機素材、繊維強化樹脂などからなる径がφ６０〜１００ｍｍ程度の円形または正方形、矩形などの形状からなる。
【００３４】
固定プレート３の厚みは使用する金属の種類によっても夫々異なるが、通常０．４〜２．０ｍｍ程度のものが用いられる。０．４ｍｍ未満であると剛性が低く、また２．０ｍｍを超えると加工性が乏しくなる上に、重量が大きくなって好ましくない。特にステンレス鋼を用いる場合は０．５〜１．０ｍｍの厚さがもっとも好ましい。ステンレス鋼であればこの範囲で剛性も十分に得られ、また、金切りはさみで簡単に切断加工することができ、施工時の加工も容易である。
【００３５】
また、既設および新規防水シート２、１と下地５をまたは既設防水シート２と新規防水シート１を接着させるために用いる接着剤としては、クロロプレンゴムやブチルゴムやその他の添加剤を溶剤や水に溶かした接着剤を用いることができる。
【００３６】
既設防水シート２の引裂きを防止するために配置する補強材６としては、繊維補強材や繊維補強ゴムシートを挙げることができ、固定プレート３を上に配置することができるように固定プレート３よりも少し広い面積を有し既設防水シート２に対しては前記の接着剤等を用いて接着して使用するものである。繊維補強材の素材としては、ポリエステル繊維、ガラス繊維、ポリエチレン繊維等の平織り、綾織、朱子織といった種々の繊維を用いることができ、繊維補強ゴムシートの場合であれば、素材としては新設防水シートと同様にエチレンプロピレンジエンモノマー（ＥＰＤＭ）、ブチルゴム、イソプレン・イソブチレン共重合体（ＩＩＲ）等やそれらのブレンド物等のゴム、ポリウレタンやポリエチレン、ポリ塩化ビニルなどの合成樹脂、オレフィン系熱可塑性エラストマーなどからなるシートが挙げられ、その厚みは０．８〜２．５ｍｍ程度の範囲のものであり、ゴム中にガラス繊維やポリエステル繊維などからなる補強布を埋設して機械的強度を挙げたものを用いることができる。これらの補強材を既設防水シート２の固定プレート３を配置する箇所に、接着剤で積層接着したり、熱融着等の手段で融着配置したりする。
【産業上の利用可能性】
【００３７】
本発明は建築物などにおいて屋上に施された防水層の劣化に伴い改修工事を行う場合に、既設の防水層を除去することなくそのまま上から敷設することができるシート防水工法又は構造として用いることができる。
【図面の簡単な説明】
【００３８】
【図１】本発明の新設防水シートを敷設したところの断面図である。
【図２】熱可塑性樹脂フィルムを下面に積層した新設防水シートの断面図である。
【図３】防水シートの別の形態を示す断面図である。
【図４】防水シートの加硫工程において熱可塑性シートを圧着しているところの概要説明図である。
【符号の説明】
【００３９】
１    新設防水シート
２    既設防水シート
３    固定プレート
４    アンカー部材
５    下地
６    補強材
７    絶縁シート
【図１】
2007198121.tif 000003
【図２】
2007198121.tif 000004
【図３】
2007198121.tif 000005
【図４】
2007198121.tif 000006